(57)【要約】      （修正有）【課題】簡略な構成で就寝者が睡眠時にいびきを発しにくい寝姿に誘導することができて、かつ、占有領域が少なく保管収納にも便利ないびき防止装置を提供する。【解決手段】いびき防止装置１は、平面視四角形状で板状に形成され、両長辺内側に長穴を穿設した基体部３と、この基体部３の一面側中央部に山形状に突設され寝具側に配置する寝具側突起４とを合成樹脂材により一体形成した本体２と、この本体２の他面側の四隅部から突設され、就寝者の背中４箇所に当接させる合成樹脂材からなる４個の突出端を丸めた背中当接突起５と、本体２の両長辺内側の各長穴に各々一端を取り付け、他端に各々面ファスナ８ａ、８ｂを取り付けた一対の布ベルト７Ａ、７Ｂを用いた取り付け具９とを有する。【選択図】図１
0003157019.tif 000002
【実用新案登録請求の範囲】
【請求項１】
板状の基体部と、この基体部の一面側に山形状に突出させた寝具側突起とを有する本体と、
この本体の他面側から突設した複数の背中当接突起と、
前記本体に付加され、前記本体を就寝者の背中に取り付ける布ベルト、面ファスナを用いた取り付け具と、
を有することを特徴とするいびき防止装置。
【請求項２】
板状の基体部と、この基体部の一面側中央部に山形状に突設され寝具側に配置する寝具側突起とを合成樹脂材により一体形成した本体と、
この本体の他面側の四隅部から突設され、就寝者の背中４箇所に当接させる４個の背中当接突起と、
前記本体に付加され、前記本体を就寝者の背中に取り付ける布ベルト、面ファスナを用いた取り付け具と、
を有することを特徴とするいびき防止装置。
【請求項３】
平面視四角形状で板状に形成され、両長辺内側に長穴を穿設した基体部と、この基体部の一面側中央部に山形状に突設され寝具側に配置する寝具側突起とを合成樹脂材により一体形成した本体と、
この本体の他面側の四隅部から突設され、就寝者の背中４箇所に当接させる合成樹脂材からなる４個の突出端を丸めた背中当接突起と、
前記本体の両長辺内側の各長穴に各々一端を取り付け、他端に各々面ファスナを取り付けた一対の布ベルトを用いた取り付け具と、
を有することを特徴とするいびき防止装置。
【考案の詳細な説明】
【技術分野】
【０００１】
本考案は、いびき防止装置に関するもので、詳しくは、簡略構成でありながら就寝者が睡眠時にいびきを発しにくい寝姿に誘導することができるいびき防止装置に関するものである。
【背景技術】
【０００２】
従来、一般的に、就寝者が睡眠中に発するいびきは、喉の構造に問題があるとされており、いびきを防止する方法としては、仰向けでなく横向きに寝ることが有効と言われている。
【０００３】
また、いびきは無呼吸症候群の要因ともなり、更には無呼吸症候群に伴う種々の疾病を将来するという危険性を包含している。
【０００４】
従来においても、いびき防止用の用具が種々提案され実用化されているが、この内、横向きの就寝を誘導する用具として下記特許文献１、２のようなものが提案されている。
【０００５】
すなわち、特許文献１には、空気弁付きで、ポンプ式又は息吹き込み式で膨らます細長いガス封入袋を、寝衣の後身頃の左右方向中央部に長手方向に取り付け、該ガス封入袋が使用者の背中の左右方向中央部からずれることを防止するため該ガス封入袋及び寝衣の少なくとも一方にベルトを取り付けて使用者の身体に固定可能としたいびき抑制具が提案されている。
【０００６】
また、特許文献２には、ビニール等の軟質シートを略直方体の袋状に形成したエアバッグ形態からなり、使用者の背中に当たるようにした背枕と、背枕の両側端に設けられたバンドと、バンドに取り付けられ使用者の脇腹やや前方に当たるようにしたストッパと、を有する構成の寝装具が提案されている。
【０００７】
しかし、特許文献１のいびき抑制具の場合、ポンプ式又は息吹き込み式でガス封入袋を膨らますという煩雑さを伴い、また、ガス封入袋を膨らましたままでは占有領域が大きく収納に不便である。
【０００８】
また、特許文献２の寝装具の場合、背枕がエアバッグ形態であるためやはり占有領域が大きく収納に不便である。
【先行技術文献】
【特許文献】
【０００９】
【特許文献１】登録実用新案第３０６９６９９号公報
【特許文献２】特開２００６−９４９８０号公報
【考案の概要】
【考案が解決しようとする課題】
【００１０】
本考案が解決しようとする問題点は、簡略な構成で就寝者が睡眠時にいびきを発しにくい寝姿に誘導することができ、かつ、占有領域が少なく収納にも便利であるようないびき防止装置が存在しない点である。
【課題を解決するための手段】
【００１１】
本考案に係るいびき防止装置は、板状の基体部と、この基体部の一面側に山形状に突出させた寝具側突起とを有する本体と、この本体の他面側から突設した複数の背中当接突起と、前記本体に付加され、前記本体を就寝者の背中に取り付ける布ベルト、面ファスナを用いた取り付け具と、を有することを最も主要な特徴とする。
【考案の効果】
【００１２】
請求項１記載の考案によれば、就寝者をその睡眠中においていびきを発しにくい寝姿に無意識のうちに誘導することができ、いびき防止用として効果的であり、しかも、簡略構成で、かつ、占有領域が少なく、不使用時の保管収納に極めて便利ないびき防止装置を実現し提供することができる。
【００１３】
請求項２記載の考案によれば、板状の基体部と、この基体部の一面側中央部に山形状に突設され寝具側に配置する寝具側突起とを合成樹脂材により一体形成した本体と、この本体の他面側の四隅部から突設され、就寝者の背中４箇所に当接させる４個の背中当接突起と、前記本体に付加され、前記本体を就寝者の背中に取り付ける布ベルト、面ファスナを用いた取り付け具と、を有する構成で、請求項１記載の考案と同様、就寝者をその睡眠中においていびきを発しにくい寝姿に無意識のうちに誘導することができ、いびき防止用として効果的であり、しかも、簡略構成で、かつ、占有領域が少なく、不使用時の保管収納に極めて便利ないびき防止装置を実現し提供することができる。
【００１４】
請求項３記載の考案によれば、平面視四角形状で板状に形成され、両長辺内側に長穴を穿設した基体部と、この基体部の一面側中央部に山形状に突設され寝具側に配置する寝具側突起とを合成樹脂材により一体形成した本体と、この本体の他面側の四隅部から突設され、就寝者の背中４箇所に当接させる合成樹脂材からなる４個の突出端を丸めた背中当接突起と、前記本体の両長辺内側の各長穴に各々一端を取り付け、他端に各々面ファスナを取り付けた一対の布ベルトを用いた取り付け具と、を有する構成で、請求項１記載の考案と同様、就寝者をその睡眠中においていびきを発しにくい寝姿に無意識のうちに誘導することができ、いびき防止用として効果的であり、しかも、簡略構成で、かつ、占有領域が少なく、不使用時の保管収納に極めて便利ないびき防止装置を実現し提供することができる。
【図面の簡単な説明】
【００１５】
【図１】図１は本考案の実施例に係るいびき防止装置の概略斜視図である。
【図２】図２は本実施例に係るいびき防止装置の本体の概略斜視図である。
【図３】図３は本実施例に係るいびき防止装置の本体の平面図である。
【図４】図４は本実施例に係るいびき防止装置の本体の正面図である。
【図５】図５は本実施例に係るいびき防止装置の本体の側面図である。
【図６】図６は本実施例に係るいびき防止装置の使用状態（就寝者仰向け状態）の説明図である。
【図７】図７は本実施例に係るいびき防止装置の使用状態（就寝者横向き状態）の説明図である。
【考案を実施するための形態】
【００１６】
本考案は、簡略な構成で就寝者が睡眠時にいびきを発しにくい寝姿に誘導することができ、かつ、占有領域が少なく保管収納にも便利ないびき防止装置を実現し提供するという目的を、平面視四角形状で板状に形成され、両長辺内側に長穴を穿設した基体部と、この基体部の一面側中央部に山形状に突設され寝具側に配置する寝具側突起とを合成樹脂材により一体形成した本体と、この本体の他面側の四隅部から突設され、就寝者の背中４箇所に当接させる合成樹脂材からなる４個の突出端を丸めた背中当接突起と、前記本体の両長辺内側の各長穴に各々一端を取り付け、他端に各々面ファスナを取り付けた一対の布ベルトを用いた取り付け具と、を有する構成により実現した。
【実施例】
【００１７】
以下、本考案の実施例に係るいびき防止装置について各図面を参照して、詳細に説明する。
【００１８】
本実施例に係るいびき防止装置１は、図１乃至図５に示すように、平面視四角形状の板状の基体部３と、この基体部３の一面側（寝具側）においてその短辺方向中央部位置で長辺方向に沿って山形状に突出させた寝具側突起４とを例えば塩化ビニル材等の合成樹脂材を用いて一体成形した本体２を有し、この本体２の他面側（就寝者Ｍの背中側）の四隅部に各々配置した４個の同一サイズの背中当接突起５を備え、更に、前記本体２に対して就寝者Ｍの例えば腰部の回りに巻き付けて着脱可能とするための折り畳み可能な取り付け具９を付加して構成している。
【００１９】
前記基体部３は、例えばその短辺寸法を１５０ｍｍ、長辺寸法を２００ｍｍに設定している。また、寝具側突起４の突出長は例えば３０〜５０ｍｍの範囲に設定している。
前記基体部３の長辺よりも中央寄りで前記各背中当接突起５の外周位置と重合しない位置に、前記取り付け具９用の合計４個の長穴６を各々穿設している。
【００２０】
前記取り付け具９は、前記基体部３の一方の長辺寄りに設けた２個の長穴６に、例えば伸縮可能な素材からなる一方の布ベルト７Ａの二股に分けた一端側を各々取り付け、また、前記基体部３の他方の長辺寄りに設けた２個の長穴６に、例えば伸縮可能な素材からなる他方の布ベルト７Ｂの二股に分けた一端側を各々取り付けるとともに、一方の布ベルト７Ａの他端、他方の布ベルト７Ｂの他端に各々相互間を着脱可能に係止する面ファスナ８ａ、８ｂを逢着することにより構成している。
【００２１】
また、前記両布ベルト７Ａ、７Ｂの前記基体部３からの突出寸法は、これら両布ベルト７Ａ、７Ｂを就寝者Ｍの例えば腰部の回りに左右から巻き付けたとき、前記面ファスナ８ａ、８ｂが重なり合う寸法に設定している。
【００２２】
前記各背中当接突起５は、例えば塩化ビニル材等の合成樹脂材を用い、円柱状で突出端側を弧状に丸めた形状に形成され、その基端側を例えば前記基体部３の他面側の各隅部に各々接着等の手段で固着している。
【００２３】
前記背中当接突起５は、円柱部の直径を３０ｍｍ、基体部３の他面からの突出長を２５ｍｍに設定している。
【００２４】
次に、本実施例に係るいびき防止装置１の使用態様及び効果について、図６、図７をも参照して説明する。
【００２５】
就寝者Ｍは、就寝に先立ち、前記いびき防止装置１の各背中当接突起５が背中に当たり、寝具側突起４が後方に突出する状態とした状態で前記両布ベルト７Ａ、７Ｂを、例えば腰部の回りに左右から巻き付け、前記面ファスナ８ａ、８ｂを重ねて圧着することでいびき防止装置１を背中に取り付ける。
【００２６】
この状態で、就寝者Ｍは寝具１０上に横たわり就寝状態に移行する。
就寝者Ｍが図６に示すように仰向き状態で就寝しようとすると、前記いびき防止装置１の寝具側突起４は垂直又は略垂直状態となり、このとき寝具側突起４、基体部３、各背中当接突起５を経て就寝者Ｍの背中の４箇所に就寝者Ｍにとって不快な押圧力が作用する。
【００２７】
このため、就寝者Ｍは、無意識に身体を横転させ、図７に示すように、横向き（又は斜め横向き）状態で就寝を続けることになる。
【００２８】
就寝者Ｍが図７に示す状態で就寝している際には、前記寝具側突起４には外力が作用しないために、就寝者Ｍの背中には不快な押圧力が作用せず、これにより、就寝者Ｍは横向き（又は斜め横向き）状態での就寝を継続することができる。
【００２９】
このようにして、本実施例によれば、就寝者Ｍをその睡眠中においていびきを発しにくい寝姿、すなわち、横向き（又は斜め横向き）の寝姿に無意識のうちに誘導することができ、いびき防止用として効果的ないびき防止装置１を実現し提供することができる。
【００３０】
また、本実施例によれば、例えば、短辺１５０ｍｍ、長辺２００ｍｍの基体部３、突出長３０〜５０ｍｍの寝具側突起４、及び突出長２５ｍｍの背中当接突起５を備えた本体２と、折り畳み可能な布ベルト７Ａ、７Ｂを用いた取り付けからなる極めて簡略構成で、かつ、占有領域が少なく、不使用時の保管収納に極めて便利ないびき防止装置１を実現し提供することができる。
【００３１】
本実施例のいびき防止装置１において、前記本体２の形状は、平面視四角形状に限らず、正方形状、楕円形状、円形状等に変形実施可能であり、前記取り付け具９も布ベルトを用いる他、ゴムバンド等でもよく、更に、前記背中当接突起５の個数も４個に限定されるものではない。
【産業上の利用可能性】
【００３２】
本考案は、上述したいびき防止装置として適用する他、例えば前記寝具側突起を利用した簡易枕として応用可能であり、また、本考案のいびき防止装置は、一般家庭用に限らず、ホテル、旅館などの業務用として宿泊者の利用に供する用途にも応用可能であることは勿論である。
【符号の説明】
【００３３】
１    いびき防止装置
２    本体
３    基体部
４    寝具側突起
５    背中当接突起
６    長穴
７Ａ  布ベルト
７Ｂ  布ベルト
８ａ  面ファスナ
８ｂ  面ファスナ
９    取り付け具
１０    寝具
Ｍ    就寝者
【図１】
0003157019.tif 000003
【図２】
0003157019.tif 000004
【図３】
0003157019.tif 000005
【図４】
0003157019.tif 000006
【図５】
0003157019.tif 000007
【図６】
0003157019.tif 000008
【図７】
0003157019.tif 000009